(57)【要約】  本発明に係る移動通信方法は、「エリア限定サービス」用無線基地局を介して「エリア限定サービス」用無線通信データ合成装置と移動局との間で第１無線アクセスリンクが設定されている際に、「公衆エリアサービス」用無線基地局を介して「エリア限定サービス」用無線通信データ合成装置と移動局との間で第２無線アクセスリンクを設定する工程と、「エリア限定サービス」用無線通信データ合成装置が、「エリア限定サービス」用無線基地局から転送された「エリア限定サービス」用データ及び「公衆エリアサービス」用無線基地局から転送された「エリア限定サービス」用データを合成する工程とを有する。
2009142247.tif 000002
【特許請求の範囲】
【請求項１】
第１サービス用無線基地局を介して第１サービス用無線通信データ合成装置と移動局との間で第１無線アクセスリンクが設定されている際に、第２サービス用無線基地局を介して該第１サービス用無線通信データ合成装置と該移動局との間で第２無線アクセスリンクを設定する工程と、
前記第１サービス用無線基地局が、前記移動局から送信された第１サービス用データを該第１無線アクセスリンクを介して前記第１サービス用無線通信データ合成装置に対して転送する工程と、
前記第２サービス用無線基地局が、前記移動局から送信された第１サービス用データを該第２無線アクセスリンクを介して前記第１サービス用無線通信データ合成装置に対して転送する工程と、
前記第１サービス用無線通信データ合成装置が、前記第１サービス用無線基地局から転送された前記第１サービス用データ及び前記第２サービス用無線基地局から転送された前記第１サービス用データを合成する工程とを有することを特徴とする移動通信方法。
【請求項２】
前記第２サービス用無線基地局において前記第２無線アクセスリンクの設定を許可するか否かについて示す設定許可情報が管理されていることを特徴とする請求項１に記載の移動通信方法。
【請求項３】
前記無線アクセスリンクが設定された場合に、前記移動局に対して所定ガイダンス情報を通知する工程を有することを特徴とする請求項１に記載の移動通信方法。
【請求項４】
前記無線アクセスリンクが設定された場合に、その旨を示す課金情報を生成する工程を有することを特徴とする請求項１に記載の移動通信方法。
【請求項５】
第２サービス用データを送受信するように構成されている無線基地局であって、
第１サービス用無線基地局を介して第１サービス用無線通信データ合成装置と移動局との間で第１無線アクセスリンクが設定されている際に、該第１サービス用無線通信データ合成装置との間でアクセスリンクを設定し、該移動局との間で無線リンクを設定するように構成されている無線アクセスリンク設定部と、
前記移動局から前記無線リンクを介して送信された第１サービス用データを、前記アクセスリンクを介して前記第１サービス用無線通信データ合成装置に対して転送するように構成されている転送部を具備することを特徴とする無線基地局。
【請求項６】
前記無線基地局において前記無線リンク及び前記アクセスリンクの設定を許可するか否かについて示す設定許可情報を管理するように構成されている管理部を具備することを特徴とする請求項５に記載の無線基地局。
【請求項７】
前記無線アクセスリンクが設定された場合に、前記移動局に対して所定ガイダンス情報を通知するように構成されていることを特徴とする請求項５に記載の無線基地局。
【請求項８】
前記無線アクセスリンクが設定された場合に、その旨を示す課金情報を生成するように構成されていることを特徴とする請求項５に記載の無線基地局。
【発明の詳細な説明】
【技術分野】
【０００１】
本発明は、移動通信方法及び無線基地局に関する。
【背景技術】
【０００２】
従来、図１１に示すように、通信サービス提供エリアが複数のセルに分割されており、各セルに在圏している移動局ＵＥが通信を行うように構成されている移動通信システムが知られている。【０００３】
かかる移動通信システムでは、無線通信データ合成装置が、移動局ＵＥより報告された各セルにおける通信品質情報等に基づいて選択したセルを介して、当該移動局ＵＥの通信経路（アクセスリンク）を確立する。【０００４】
例えば、Ｗ-ＣＤＭＡ方式の移動局通信システムでは、移動局ＵＥが、最大３本のアクセスリンクを同時に設定することができ、無線通信データ合成装置が、各アクセスリンクを経由して当該移動局ＵＥから送信されたデータを合成することによって通信品質の高い移動通信を実現している。【０００５】
例えば、音声通信等の一般的な「公衆エリアサービス」では、移動局ＵＥが、全てのセルに在圏する可能性があるため、かかる無線通信データ合成装置を無線制御装置ＲＮＣに配置し、かかる無線通信データ合成装置において合成されたデータをコアネットワークＣＮを経由して相手側装置に到達させるように構成されている。【０００６】
一方、図１２に示すように、ＩＭＴ-２０００方式の移動通信システムでは、ビル内等に構築される内線エリア（プライベートエリア＃１）や、家庭内等に構築される家庭内エリア（プライベートエリア＃２）を構築することができる。【０００７】
例えば、図１２に示すように、かかる移動通信システムにおいて、プライベートエリア＃１及び＃２におけるＬＡＮ環境に無線通信データ合成装置＃ｃ及び＃ｂをそれぞれ接続することによって、公衆エリアに対して大きな負荷を与えることなく、プライベートエリア＃１及び＃２内で、大容量のデータ通信等を可能にする「エリア限定サービス」を提供することができる。【０００８】
したがって、かかる移動通信システムでは、利用者は、一台の移動局ＵＥによって、プライベートエリア＃１及び＃２では、「エリア限定サービス（第１サービス）」を利用し、公衆エリアでは、通常の「公衆エリアサービス（第２サービス）」を利用することができる。
【発明の概要】
【発明が解決しようとする課題】
【０００９】
なお、従来の移動通信システムでは、「公衆エリアサービス」用無線基地局は、当該「エリア限定サービス」用無線基地局に対してアクセス権を有している移動局ＵＥに対してであっても、「エリア限定サービス」を提供することができないように構成されている。【００１０】
しかしながら、図１２に示すように、公衆エリア内にプライベートエリア＃１（内線エリア）を構築した場合には、ビルの窓際等のプライベートエリア＃１の端では、「エリア限定サービス」における通信品質が「公衆エリアサービス」による通信の影響を強く受ける場合がある。【００１１】
したがって、かかる場合、プライベートエリア＃１（内線エリア）内であっても、移動局ＵＥは、「公衆エリアサービス」による通信の影響によって、「エリア限定サービス」を利用することができない、或いは、「エリア限定サービス」における通信品質が劣化してしまうという問題点があった。【００１２】
そこで、本発明は、上述の課題に鑑みてなされたものであり、「公衆エリアサービス（第２サービス）」用無線基地局が、「エリア限定サービス（第１サービス）」を補完することによって、「エリア限定サービス（第１サービス）」における通信品質の劣化を防ぐことができる移動通信方法及び無線基地局を提供することを目的とする。
【課題を解決するための手段】
【００１３】
本発明の第１の特徴は、移動通信方法であって、第１サービス用無線基地局を介して第１サービス用無線通信データ合成装置と移動局との間で第１無線アクセスリンクが設定されている際に、第２サービス用無線基地局を介して該第１サービス用無線通信データ合成装置と該移動局との間で第２無線アクセスリンクを設定する工程と、前記第１サービス用無線基地局が、前記移動局から送信された第１サービス用データを該第１無線アクセスリンクを介して前記第１サービス用無線通信データ合成装置に対して転送する工程と、前記第２サービス用無線基地局が、前記移動局から送信された第１サービス用データを該第２無線アクセスリンクを介して前記第１サービス用無線通信データ合成装置に対して転送する工程と、前記第１サービス用無線通信データ合成装置が、前記第１サービス用無線基地局から転送された前記第１サービス用データ及び前記第２サービス用無線基地局から転送された前記第１サービス用データを合成する工程とを有することを要旨とする。【００１４】
本発明の第１の特徴において、前記第２サービス用無線基地局において、前記第２無線アクセスリンクの設定を許可するか否かについて示す設定許可情報が管理されていてもよい。【００１５】
本発明の第１の特徴において、前記無線アクセスリンクが設定された場合に、前記移動局に対して所定ガイダンス情報を通知する工程を有してもよい。【００１６】
本発明の第１の特徴において、前記無線アクセスリンクが設定された場合に、その旨を示す課金情報を生成する工程を有してもよい。【００１７】
本発明の第２の特徴は、無線基地局であって、第２サービス用データを送受信するように構成されている無線基地局であって、第１サービス用無線基地局を介して第１サービス用無線通信データ合成装置と移動局との間で第１無線アクセスリンクが設定されている際に、該第１サービス用無線通信データ合成装置との間でアクセスリンクを設定し、該移動局との間で無線リンクを設定するように構成されている無線アクセスリンク設定部と、前記移動局から前記無線リンクを介して送信された第１サービス用データを、前記アクセスリンクを介して前記第１サービス用無線通信データ合成装置に対して転送するように構成されている転送部を具備することを要旨とする。【００１８】
本発明の第２の特徴において、前記無線基地局において前記無線リンク及び前記アクセスリンクの設定を許可するか否かについて示す設定許可情報を管理するように構成されている管理部を具備するように構成されていてもよい。【００１９】
本発明の第２の特徴において、前記無線アクセスリンクが設定された場合に、前記移動局に対して所定ガイダンス情報を通知するように構成されていてもよい。【００２０】
本発明の第２の特徴において、前記無線アクセスリンクが設定された場合に、その旨を示す課金情報を生成するように構成されていてもよい。
【発明の効果】
【００２１】
以上説明したように、本発明によれば、「公衆エリアサービス（第２サービス）」用無線基地局が、「エリア限定サービス（第１サービス）」を補完することによって、「エリア限定サービス（第１サービス）」における通信品質の劣化を防ぐことができる移動通信方法及び無線基地局を提供することができる。
【図面の簡単な説明】
【００２２】
【図１】図１は、本発明の第１の実施形態に係る移動通信システムの全体構成図である。
【図２】図２は、本発明の第１の実施形態に係る無線基地局の機能ブロック図である。
【図３】図３は、本発明の第１の実施形態に係る移動通信システムの動作を説明するための図である。
【図４】図４は、本発明の第１の実施形態に係る移動通信システムの動作を示すシーケンス図である。
【図５】図５は、本発明の第１の実施形態に係る移動通信システムの動作を示すシーケンス図である。
【図６】図６は、本発明の第１の実施形態に係る移動通信システムの動作を説明するための図である。
【図７】図７は、本発明の第１の実施形態に係る移動通信システムの動作を示すシーケンス図である。
【図８】図８は、本発明の第１の実施形態に係る移動通信システムの動作を示すシーケンス図である。
【図９】図９は、本発明の変更例１に係る移動通信システムの動作を説明するための図である。
【図１０】図１０は、本発明の変更例２に係る移動通信システムの動作を説明するための図である。
【図１１】図１１は、従来の移動通信システムについて説明するための図である。
【図１２】図１２は、従来の移動通信システムについて説明するための図である。
【発明を実施するための形態】
【００２３】
（本発明の第１の実施形態に係る移動通信システムの構成）
図１及び図２を参照して、本発明の第１の実施形態に係る移動通信システムの構成について説明する。
【００２４】
図１に示すように、本実施形態に係る移動通信システムは、アクセスネットワーク装置として、無線制御装置ＲＮＣと、無線基地局＃ａ１〜＃ａ２、＃ｂ１、＃ｃ１〜＃ｃ３と、無線通信データ合成装置＃Ａ、＃Ｂ、＃Ｃとを具備している。
【００２５】
ここで、無線基地局＃ｂ１、＃ｃ１〜＃ｃ３は、プライベートエリアを形成するために設置されているＦｅｍｔｏＢＴＳやＨＮＢのような小型無線基地局である。
【００２６】
なお、無線基地局＃ｂ１と無線通信データ合成装置＃Ｂとは一体化されており、家電との連携や家庭内ＬＡＮ環境への接続を容易に実現することができるように構成されている。
【００２７】
また、本実施形態において、「公衆エリアサービス」は、公衆エリアにおいて、通信事業者によって設置される通常の無線基地局である「公衆エリアサービス」用無線基地局＃ａ１〜＃ａ２によって提供される通信サービス（例えば、音声通信やデータ通信等）である。
【００２８】
また、「エリア限定サービス」は、ビル構内や家庭内といったプライベートエリアにおいて、利用者によって設置される小型無線基地局である「エリア限定サービス」用無線基地局＃ｂ１、＃ｃ１〜＃ｃ３によって提供され、当該利用者によって独占的に利用され得る通信サービス（例えば、定額性通信サービス）である。
【００２９】
本実施形態に係る移動通信システムでは、公衆エリアにおいて「公衆エリアサービス」を提供するために、「公衆エリアサービス」用無線基地局＃ａ１〜＃ａ２を介して「公衆エリアサービス」用無線通信データ合成装置＃Ａと移動局ＵＥ＃ａとの間で無線アクセスリンク＃ａが設定されるように構成されている。
【００３０】
ここで、無線アクセスリンク＃ａ（例えば、ＲＲＣコネクション）は、移動局ＵＥ＃ａと無線基地局＃ａ１〜＃ａ２との間で設定されている無線リンク＃ａと、無線基地局＃ａ１〜＃ａ２と「公衆エリアサービス」用無線通信データ合成装置＃Ａとの間で設定されているアクセスリンク＃ａとによって構成されている。
【００３１】
また、本実施形態に係る移動通信システムでは、プライベートエリア＃１において「エリア限定サービス」を提供するために、「エリア限定サービス」用無線基地局＃ｃ１〜＃ｃ３を介して「エリア限定サービス」用無線通信データ合成装置＃Ｃと移動局ＵＥ＃ｃとの間で無線アクセスリンク＃ｃ（第１無線アクセスリンク）が設定されるように構成されている。
【００３２】
ここで、無線アクセスリンク＃ｃ（例えば、ＲＲＣコネクション）は、移動局ＵＥ＃ｃと無線基地局＃ｃ１〜＃ｃ３との間で設定されている無線リンク＃ｃと、無線基地局＃ｃ１〜＃ｃ３と「エリア限定サービス」用無線通信データ合成装置＃Ｃとの間で設定されているアクセスリンク＃ｃとによって構成されている。
【００３３】
さらに、本実施形態に係る移動通信システムでは、プライベートエリア＃２において「エリア限定サービス」を提供するために、「エリア限定サービス」用無線基地局＃ｂ１を介して「エリア限定サービス」用無線通信データ合成装置＃Ｂと移動局ＵＥ＃ｂとの間で無線アクセスリンク＃ｂ（第１無線アクセスリンク）が設定されるように構成されている。
【００３４】
ここで、無線アクセスリンク＃ｂ（例えば、ＲＲＣコネクション）は、移動局ＵＥ＃ｂと無線基地局＃ｂ１との間で設定されている無線リンク＃ｂと、無線基地局＃ｂ１と「エリア限定サービス」用無線通信データ合成装置＃Ｂとの間で設定されているアクセスリンク＃ｂとによって構成されている。
【００３５】
なお、「エリア限定サービス」用無線基地局＃ｂ１と「エリア限定サービス」用無線通信データ合成装置＃Ｂとは一体化されているため、アクセスリンク＃ｂ１は、かかる装置内部におけるリンクである。
【００３６】
なお、本実施形態に係る移動通信システムでは、プライベートエリア＃１において「エリア限定サービス」の通信品質の劣化を防ぐために、無線アクセスリンク＃ｃが設定されている際に、「公衆エリアサービス」用無線基地局＃ａ１〜＃ａ２を介して「エリア限定サービス」用無線通信データ合成装置＃Ｃと移動局＃ｃとの間で第２無線アクセスリンクを設定することができるように構成されている。
【００３７】
かかる場合、「エリア限定サービス」用無線通信データ合成装置＃Ｃは、「エリア限定サービス」用無線基地局＃ｃ１〜＃ｃ３から転送された「エリア限定サービス」用データ及び「公衆エリアサービス」用無線基地局＃ａ１〜＃ａ２から転送された「エリア限定サービス」用データを合成するように構成されている。
【００３８】
また、かかる場合、「エリア限定サービス」用無線通信データ合成装置＃Ｃは、コアネットワークＣＮから送信された移動局ＵＥ＃ｃ宛ての「エリア限定サービス」用データを分離して、「エリア限定サービス」用無線基地局＃ｃ１〜＃ｃ３及び「公衆エリアサービス」用無線基地局＃ａ１〜＃ａ２を経由して、移動局ＵＥ＃ｃに到達させるように構成されている。
【００３９】
同様に、本実施形態に係る移動通信システムでは、プライベートエリア＃２において「エリア限定サービス」における通信品質の劣化を防ぐために、無線アクセスリンク＃ｂが設定されている際に、「公衆エリアサービス」用無線基地局＃ａ１〜＃ａ２を介して「エリア限定サービス」用無線通信データ合成装置＃Ｂと移動局＃ｂとの間で第２無線アクセスリンクを設定することができるように構成されている。
【００４０】
かかる場合、「エリア限定サービス」用無線通信データ合成装置＃Ｂは、「エリア限定サービス」用無線基地局＃ｂ１から転送された「エリア限定サービス」用データ及び「公衆エリアサービス」用無線基地局＃ａ１〜＃ａ２から転送された「エリア限定サービス」用データを合成するように構成されている。
【００４１】
また、かかる場合、「エリア限定サービス」用無線通信データ合成装置＃Ｂは、コアネットワークＣＮから送信された移動局ＵＥ＃ｂ宛ての「エリア限定サービス」用データを分離して、「エリア限定サービス」用無線基地局＃ｂ１及び「公衆エリアサービス」用無線基地局＃ａ１〜＃ａ２を経由して、移動局ＵＥ＃ｂに到達させるように構成されている。
【００４２】
図２に示すように、「公衆エリアサービス」用データを送受信する無線基地局１０（「公衆エリアサービス」無線基地局）は、管理部１１と、判断部１２と、無線アクセスリンク設定部１３と、転送部１４と、ガイダンス通知部１５と、課金情報生成部１６とを具備している。
【００４３】
管理部１１は、無線基地局１０における各種設定情報を管理するように構成されている。
【００４４】
例えば、管理部１１では、無線基地局１０において、無線基地局１０と移動局ＵＥとの間の無線リンク、及び、無線基地局１０と「エリア限定サービス」用無線通信データ合成装置との間のアクセスリンクの設定を許可するか否かについて、すなわち、無線基地局１０において、「エリア限定サービス」用無線通信データ合成装置と移動局ＵＥとの間の無線アクセスリンクの設定を許可するか否かについて示す設定許可情報を管理するように構成されている。
【００４５】
ここで、設定許可情報は、特定の移動局ＵＥに対してのみ「エリア限定サービス」用無線通信データ合成装置との間の無線アクセスリンクの設定を許可するものであってもよい。また、設定許可情報は、上述の無線アクセスリンクの設定を許可するか否かについて示す所定の識別子によって構成されていてもよい。
【００４６】
判断部１２は、管理部１１によって管理されている設定許可情報を参照して、特定の移動局ＵＥと「エリア限定サービス」用無線通信データ合成装置との間の無線アクセスリンクを設定するか否かについて判断するように構成されている。
【００４７】
ここで、判断部１２は、管理部１１において上述の設定許可情報が管理されていない場合、全ての移動局ＵＥと「エリア限定サービス」用無線通信データ合成装置との間の無線アクセスリンクを設定すると判断してもよいし、全ての移動局ＵＥと「エリア限定サービス」用無線通信データ合成装置との間の無線アクセスリンクを設定しないと判断してもよい。
【００４８】
無線アクセスリンク設定部１３は、判断部１２による判断結果に応じて、移動局ＵＥと「エリア限定サービス」用無線通信データ合成装置との間の無線アクセスリンク、すなわち、移動局ＵＥとの間の無線リンク（例えば、無線伝送路）及び「エリア限定サービス」用無線通信データ合成装置との間のアクセスリンク（例えば、有線伝送路）を設定するように構成されている。
【００４９】
例えば、無線アクセスリンク設定部１３は、無線制御装置ＲＮＣ（或いは、「エリア限定サービス」用無線通信データ合成装置）からの要求に応じて、移動局ＵＥと「エリア限定サービス」用無線通信データ合成装置との間の無線アクセスリンクを設定するように構成されている。
【００５０】
転送部１４は、移動局ＵＥから上述の無線リンクを介して送信された「エリア限定サービス」用データを上述のアクセスリンクを介して「エリア限定サービス」用無線通信データ合成装置に対して転送するように構成されている。
【００５１】
ガイダンス通知部１５は、無線アクセスリンク設定部１３によって上述の無線アクセスリンクが設定された場合に、当該移動局ＵＥに対して所定ガイダンス情報を通知するように構成されている。
【００５２】
例えば、所定ガイダンス情報は、「プライベートエリアから外れそうであること」を示す音声ガイダンスや文字ガイダンス等である。
【００５３】
ここで、ガイダンス通知部１５は、無線制御装置ＲＮＣ（或いは、「エリア限定サービス」用無線通信データ合成装置）からの通知に応じて、当該移動局ＵＥに対して所定ガイダンス情報を通知するように構成されていてもよい。
【００５４】
課金情報生成部１６は、上述の無線アクセスリンクが設定された場合に、その旨を示す課金情報を生成するように構成されていてもよい。
【００５５】
例えば、「エリア限定サービス」が、定額性通信サービスである場合であっても、「公衆エリアサービス」無線基地局における無線アクセスリンク設定部１３を介して無線アクセスリンクが設定された場合には、かかる課金情報を用いることによって課金することができる。
【００５６】
なお、管理部１１、判断部１２、ガイダンス通知部１５及び課金情報生成部１６の機能は、「公衆エリアサービス」無線基地局ではなく、「エリア限定サービス」用無線通信データ合成装置或いは無線制御装置ＲＮＣに具備されていてもよい。
【００５７】
（本発明の第１の実施形態に係る移動通信システムの動作）
図３乃至図８を参照して、本発明の第１の実施形態に係る移動通信システムの動作について説明する。
【００５８】
第１に、図３乃至図５を参照して、「公衆エリアサービス」無線基地局＃ａ１によって、「エリア限定サービス」用無線基地局＃ｃ３による「エリア限定サービス」を補完する動作について説明する。
【００５９】
図３及び図４に示すように、ステップＳ１０００において、移動局ＵＥ＃ｃと「エリア限定サービス」用無線基地局＃ｃ３との間で無線リンク＃ｃ３が設定されており、「エリア限定サービス」用無線基地局＃ｃ３と「エリア限定サービス」用無線通信データ合成装置＃Ｃとの間でアクセスリンク＃ｃ３が設定されており、移動局ＵＥ＃ｃと「エリア限定サービス」用無線通信データ合成装置＃Ｃとの間で無線アクセスリンク＃ｃ３が設定されているものとする。
【００６０】
ステップＳ１００１において、移動局ＵＥ＃ｃが、周辺セルにおける通信品質を示す測定報告（Ｍｅａｓｕｒｅｍｅｎｔ  Ｒｅｐｏｒｔ）を、無線アクセスリンク＃ｃ３を介して、無線制御装置ＲＮＣに対して送信する。
【００６１】
ステップＳ１００２において、無線制御装置ＲＮＣは、受信した測定報告に応じて、「公衆エリアサービス」無線基地局＃ａ１によって「エリア限定サービス」用無線基地局＃ｃ３による「エリア限定サービス」を補完するべきか否か（すなわち、移動局ＵＥ＃ｃが「公衆エリアサービス」無線基地局＃ａ１と「エリア限定サービス」用無線基地局＃ｃ３との間でソフトハンドオーバを行うべきか否か）について判断する。
【００６２】
ここで、無線制御装置ＲＮＣは、補完するべきであると判定した場合、「公衆エリアサービス」無線基地局＃ａ１によって「エリア限定サービス」用無線基地局＃ｃ３による「エリア限定サービス」を補完することができるか否かについて判断する。
【００６３】
無線制御装置ＲＮＣは、補完することができると判断した場合、ステップＳ１００３において、「公衆エリアサービス」無線基地局＃ａ１及び移動局ＵＥ＃ｃに対して、無線アクセスリンク設定指示を送信する。
【００６４】
なお、無線制御装置ＲＮＣは、「公衆エリアサービス」無線基地局＃ａ１によって「エリア限定サービス」用無線基地局＃ｃ３による「エリア限定サービス」を補完することができるか否かについて判断することなく、「公衆エリアサービス」無線基地局＃ａ１及び移動局ＵＥ＃ｃに対して、無線アクセスリンク設定指示を送信してもよい。
【００６５】
かかる場合、「公衆エリアサービス」無線基地局＃ａ１によって「エリア限定サービス」用無線基地局＃ｃ３による「エリア限定サービス」を補完することができるか否かについての判断は、「公衆エリアサービス」無線基地局＃ａ１によって行われる。
【００６６】
ステップＳ１００４において、移動局ＵＥ＃ｃと「公衆エリアサービス」無線基地局＃ａ１との間で無線リンク＃ａ１を設定し、「公衆エリアサービス」無線基地局＃ａ１と「エリア限定サービス」用無線通信データ合成装置＃Ｃとの間でアクセスリンク＃ａ１を設定し、移動局ＵＥ＃ｃと「エリア限定サービス」用無線通信データ合成装置＃Ｃとの間で無線アクセスリンク＃ａ１を設定する。
【００６７】
その後、ステップＳ１００５Ａ及びＳ１００５Ｂにおいて、「エリア限定サービス」用データ＃ｃ３が、移動局ＵＥ＃ｃから「エリア限定サービス」用無線基地局＃ｃ３を経由して「エリア限定サービス」用無線通信データ合成装置＃Ｃに送信されると共に、ステップＳ１００６Ａ乃至Ｓ１００６Ｃにおいて、「エリア限定サービス」用データ＃ｃ３と同一内容の「エリア限定サービス」用データ＃ａ１が、移動局ＵＥ＃ｃから「公衆エリアサービス」用無線基地局＃ａ１及び無線制御装置ＲＮＣを経由して「エリア限定サービス」用無線通信データ合成装置＃Ｃに送信される。
【００６８】
ステップＳ１００７において、「エリア限定サービス」用無線通信データ合成装置＃Ｃが、受信した「エリア限定サービス」用データ＃ｃ３と「エリア限定サービス」用データ＃ａ１とを合成して、インターネットや相手先端末に対して、合成した「エリア限定サービス」用データを送信する。
【００６９】
なお、図５に示すように、ステップＳ２００３において、無線制御装置ＲＮＣが、無線アクセスリンク設定指示と共に、所定ガイダンス情報を送信し、ステップＳ２００４において、「公衆エリアサービス」用無線基地局＃ａ１が、無線アクセスリンク設定処理において、移動局ＵＥ＃ｃに対して、所定ガイダンス情報を通知してもよい。
【００７０】
かかる場合、無線制御装置ＲＮＣ或いは「公衆エリアサービス」用無線基地局＃ａ１が、「エリア限定サービス」を補完するための無線アクセスリンク＃ａ１（無線リンク＃ａ１及びアクセスリンク＃ａ１）が設定されたことを示す課金情報を生成してもよい。
【００７１】
第２に、図６及び図８を参照して、「公衆エリアサービス」無線基地局＃ａ２によって、「エリア限定サービス」用無線基地局＃ｂ１による「エリア限定サービス」を補完する動作について説明する。
【００７２】
図６及び図７に示すように、ステップＳ３０００において、移動局ＵＥ＃ｂと「エリア限定サービス」用無線基地局＃ｂ１との間で無線リンク＃ｂ１が設定されており、「エリア限定サービス」用無線基地局＃ｂ１と「エリア限定サービス」用無線通信データ合成装置＃Ｂとの間でアクセスリンク＃ｂ１が設定されており、移動局ＵＥ＃ｂと「エリア限定サービス」用無線通信データ合成装置＃Ｂとの間で無線アクセスリンク＃ｂ１が設定されているものとする。
【００７３】
なお、「エリア限定サービス」用無線基地局＃ｂ１と「エリア限定サービス」用無線通信データ合成装置＃Ｂとは一体化されているため、アクセスリンク＃ｂ１は、かかる装置内部におけるリンクである。
【００７４】
ステップＳ３００１において、移動局ＵＥ＃ｂが、周辺セルにおける通信品質を示す測定報告（Ｍｅａｓｕｒｅｍｅｎｔ  Ｒｅｐｏｒｔ）を、無線アクセスリンク＃ｂ１を介して、無線制御装置ＲＮＣに対して送信する。
【００７５】
ステップＳ３００２において、無線制御装置ＲＮＣは、受信した測定報告に応じて、「公衆エリアサービス」無線基地局＃ａ２によって「エリア限定サービス」用無線基地局＃ｂ１による「エリア限定サービス」を補完するべきか否か（すなわち、移動局ＵＥ＃ｂが「公衆エリアサービス」無線基地局＃ａ２と「エリア限定サービス」用無線基地局＃ｂ１との間でソフトハンドオーバを行うべきか否か）について判断する。
【００７６】
ここで、無線制御装置ＲＮＣは、補完するべきであると判定した場合、「公衆エリアサービス」無線基地局＃ａ２によって「エリア限定サービス」用無線基地局＃ｃ３による「エリア限定サービス」を補完することができるか否かについて判断する。
【００７７】
無線制御装置ＲＮＣは、補完することができると判断した場合、ステップＳ３００３において、「公衆エリアサービス」無線基地局＃ａ２及び移動局ＵＥ＃ｂに対して、無線アクセスリンク設定指示を送信する。
【００７８】
なお、無線制御装置ＲＮＣは、「公衆エリアサービス」無線基地局＃ａ２によって「エリア限定サービス」用無線基地局＃ｂ１による「エリア限定サービス」を補完することができるか否かについて判断することなく、「公衆エリアサービス」無線基地局＃ａ２及び移動局ＵＥ＃ｃに対して、無線アクセスリンク設定指示を送信してもよい。
【００７９】
かかる場合、「公衆エリアサービス」無線基地局＃ａ２によって「エリア限定サービス」用無線基地局＃ｂ１による「エリア限定サービス」を補完することができるか否かについての判断は、「公衆エリアサービス」無線基地局＃ａ２によって行われる。
【００８０】
ステップＳ３００４において、移動局ＵＥ＃ｂと「公衆エリアサービス」無線基地局＃ａ２との間で無線リンク＃ａ１を設定し、「公衆エリアサービス」無線基地局＃ａ２と「エリア限定サービス」用無線通信データ合成装置＃Ｂとの間でアクセスリンク＃ａ２を設定し、移動局ＵＥ＃ｂと「エリア限定サービス」用無線通信データ合成装置＃Ｂとの間で無線アクセスリンク＃ａ２を設定する。
【００８１】
その後、ステップＳ３００５Ａ及びＳ３００５Ｂにおいて、「エリア限定サービス」用データ＃ｂ１が、移動局ＵＥ＃ｂから「エリア限定サービス」用無線基地局＃ｂ１を経由して「エリア限定サービス」用無線通信データ合成装置＃Ｂに送信されると共に、ステップＳ３００６Ａ乃至Ｓ３００６Ｃにおいて、「エリア限定サービス」用データ＃ｂ１と同一内容の「エリア限定サービス」用データ＃ａ２が、移動局ＵＥ＃ｂから「公衆エリアサービス」用無線基地局＃ａ２及び無線制御装置ＲＮＣを経由して「エリア限定サービス」用無線通信データ合成装置＃Ｂに送信される。
【００８２】
ステップＳ３００７において、「エリア限定サービス」用無線通信データ合成装置＃Ｂが、受信した「エリア限定サービス」用データ＃ｂ１と「エリア限定サービス」用データ＃ａ２とを合成して、インターネットや相手先端末に対して、合成した「エリア限定サービス」用データを送信する。
【００８３】
なお、図８に示すように、ステップＳ４００３において、無線制御装置ＲＮＣが、無線アクセスリンク設定指示と共に、所定ガイダンス情報を送信し、ステップＳ４００４において、「公衆エリアサービス」用無線基地局＃ａ２が、無線アクセスリンク設定処理において、移動局ＵＥ＃ｂに対して、所定ガイダンス情報を通知してもよい。
【００８４】
かかる場合、無線制御装置ＲＮＣ或いは「公衆エリアサービス」用無線基地局＃ａ２が、「エリア限定サービス」を補完するための無線アクセスリンク＃ａ２（無線リンク＃ａ２及びアクセスリンク＃ａ２）が設定されたことを示す課金情報を生成してもよい。
【００８５】
（本発明の第１の実施形態に係る移動通信システムの作用・効果）
本発明の第１の実施形態に係る移動通信システムによれば、公衆エリアの近傍或いは公衆エリア内において、「エリア限定サービス」が提供されるプライベートエリアが設けられた場合、かかる公衆エリアに配置されている「公衆エリアサービス」用無線基地局＃ａ２が「エリア限定サービス」を補完することによって、プライベートエリア（例えば、内線エリアの端等）において「公衆エリアサービス」の通信の影響が強い場合であっても、「エリア限定サービス」の通信品質の劣化を防ぐことができる。
【００８６】
また、本発明の第１の実施形態に係る移動通信システムによれば、設定許可情報が管理されている「公衆エリアサービス」用無線基地局のみが「エリア限定サービス」を補完するように構成されているため、「エリア限定サービス」の提供エリアが無制限に拡がるという事態を防ぐことができる。
【００８７】
さらに、本発明の第１の実施形態に係る移動通信システムによれば、定額制通信サービスとして「エリア限定サービス」を提供している場合であっても、当該「エリア限定サービス」を補完するために「公衆エリアサービス」用無線基地局を利用した場合には、「公衆エリアサービス」用無線基地局或いは無線制御装置ＲＮＣによって生成される課金情報に基づいて別途課金することができる。
【００８８】
（変更例１）
図９を参照して、本発明の変更例１に係る移動通信システムについて、上述の第１の実施形態に係る移動通信システムとの相違点に着目して説明する。
【００８９】
図９に示すように、本発明の変更例１に係る移動通信システムでは、無線基地局＃ｃ１（第１サービス用無線基地局）を介して無線通信データ合成装置＃C（第１サービス用無線通信データ合成装置）と移動局ＵＥとの間で無線アクセスリンク＃ｃ１（第１無線アクセスリンク）が設定されている際に、無線基地局＃ａ１（第２サービス用無線基地局）を介して無線通信データ合成装置＃C（第１サービス用無線通信データ合成装置）と移動局ＵＥとの間で無線アクセスリンク＃ａ１（第２無線アクセスリンク）を設定するように構成されている。
【００９０】
かかる場合、無線基地局＃ｃ１（第１サービス用無線基地局）は、移動局ＵＥから送信された「エリア限定サービス」用データ＃ｃ１（第１サービス用データ）を無線アクセスリンク＃ｃ１（第１無線アクセスリンク）を介して無線通信データ合成装置＃C（第１サービス用無線通信データ合成装置）に対して転送し、無線基地局＃ａ１（第２サービス用無線基地局）が、移動局ＵＥから送信された「エリア限定サービス」用データ＃ａ１（第１サービス用データ）を無線アクセスリンク＃ａ１（第２無線アクセスリンク）を介して無線通信データ合成装置＃C（第１サービス用無線通信データ合成装置）に対して転送するように構成されている。
【００９１】
ここで、無線通信データ合成装置＃C（第１サービス用無線通信データ合成装置）は、複数の無線基地局＃ｃ１〜＃ｃ３を集約する集約装置ＨＮＢ-ＧＷに設けられている。
【００９２】
なお、無線基地局＃ｃ１〜＃ｃ３は、プライベートエリアを形成するために設置されているＦｅｍｔｏＢＴＳやＨＮＢのような小型無線基地局であり、無線基地局＃ａ１は、「公衆エリアサービス」用無線基地局である。
【００９３】
また、無線アクセスリンク＃ｃ１は、無線リンク＃ｃ１及びアクセスリンク＃ｃ１によって構成されており、無線アクセスリンク＃ａ１は、無線リンク＃ａ１及びアクセスリンク＃ａ１によって構成されている。
【００９４】
（変更例２）
上述の実施形態では、Ｗ-ＣＤＭＡ方式の移動通信システムを例に挙げて説明されているが、本発明は、かかる移動通信システムに限定されるものではなく、例えば、ＬＴＥ（Ｌｏｎｇ  Ｔｅｒｍ  Ｅｖｏｌｕｔｉｏｎ）方式の移動通信システムにも適用可能である。
【００９５】
かかる場合、上述の無線制御局ＲＮＣの機能は、無線基地局ｅＮＢ又は交換局ＭＭＥに搭載されることになる。
【００９６】
具体的には、図１０を参照して、本発明の変更例２に係る移動通信システムについて、上述の第１の実施形態に係る移動通信システムとの相違点に着目して説明する。
【００９７】
図１０に示すように、本発明の変更例１に係る移動通信システムでは、無線基地局＃ｃ１（第１サービス用無線基地局）を介して無線通信データ合成装置＃C（第１サービス用無線通信データ合成装置）と移動局ＵＥとの間で無線アクセスリンク＃ｃ１（第１無線アクセスリンク）が設定されている際に、無線基地局＃ａ１（第２サービス用無線基地局）を介して無線通信データ合成装置＃C（第１サービス用無線通信データ合成装置）と移動局ＵＥとの間で無線アクセスリンク＃ａ１（第２無線アクセスリンク）を設定するように構成されている。
【００９８】
かかる場合、無線基地局＃ｃ１（第１サービス用無線基地局）は、移動局ＵＥから送信された「エリア限定サービス」用データ＃ｃ１（第１サービス用データ）を無線アクセスリンク＃ｃ１（第１無線アクセスリンク）を介して無線通信データ合成装置＃C（第１サービス用無線通信データ合成装置）に対して転送し、無線基地局＃ａ１（第２サービス用無線基地局）が、移動局ＵＥから送信された「エリア限定サービス」用データ＃ａ１（第１サービス用データ）を無線アクセスリンク＃ａ１（第２無線アクセスリンク）を介して無線通信データ合成装置＃C（第１サービス用無線通信データ合成装置）に対して転送するように構成されている。
【００９９】
ここで、無線通信データ合成装置＃C（第１サービス用無線通信データ合成装置）は、無線基地局＃ｃ１に設けられている。
【０１００】
なお、無線基地局＃ｃ１は、ＬＴＥ方式の無線アクセスネットワーク内でプライベートエリアを形成するために設置されているＦｅｍｔｏＢＴＳやＨｅＮＢのような小型無線基地局であり、無線基地局＃ａ１は、ＬＴＥ方式の無線アクセスネットワーク内の「公衆エリアサービス」用無線基地局ｅＮＢである。
【０１０１】
また、無線アクセスリンク＃ｃ１は、無線リンク＃ｃ１及びアクセスリンク＃ｃ１によって構成されており、無線アクセスリンク＃ａ１は、無線リンク＃ａ１及びアクセスリンク＃ａ１によって構成されている。
【０１０２】
ここで、無線基地局＃ｃ１と無線通信データ合成装置＃Ｃとは一体化されているため、アクセスリンク＃ｃ１は、かかる装置内部におけるリンクである。
【０１０３】
また、本変更例２に係る移動通信システムにおいて、無線基地局＃ｃ１が、集約装置ＨＮＢ-ＧＷに集約されている場合、無線通信データ合成装置＃C（第１サービス用無線通信データ合成装置）は、かかる集約装置ＨＮＢ-ＧＷに設けられていてもよい。
【０１０４】
なお、上述の移動局ＵＥや無線基地局や無線制御局ＲＮＣの動作は、ハードウェアによって実施されてもよいし、プロセッサによって実行されるソフトウェアモジュールによって実施されてもよいし、両者の組み合わせによって実施されてもよい。
【０１０５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局や無線制御局ＲＮＣ内に設けられていてもよい。また、かかる記憶媒体及びプロセッサは、ディスクリートコンポーネントとして移動局ＵＥや無線基地局や無線制御局ＲＮＣ内に設けられていてもよい。
【０１０７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2009142247.tif 000003
【図２】
2009142247.tif 000004
【図３】
2009142247.tif 000005
【図４】
2009142247.tif 000006
【図５】
2009142247.tif 000007
【図６】
2009142247.tif 000008
【図７】
2009142247.tif 000009
【図８】
2009142247.tif 000010
【図９】
2009142247.tif 000011
【図１０】
2009142247.tif 000012
【図１１】
2009142247.tif 000013
【図１２】
2009142247.tif 000014
【国際調査報告】
2009142247.tif 000015
2009142247.tif 000016